(57)【特許請求の範囲】
【請求項１】
複数のケースが角度変更可能に連結され、
車内に対する取付部を備え、
少なくとも１つのケースに、電子機器が構成され、
前記取付部は、複数連結されたケースのうちの両端のケースに設けられ、
前記取付部が設けられたケースは、それぞれ車のダッシュボードの上部及び下部に対して取付可能に構成されていることを特徴とする車載用電子機器。
【請求項２】
前記ケースに構成された電子機器は、受信機、表示装置、操作装置の少なくとも一つを含んでいることを特徴とする請求項１記載の車載用電子機器。
【請求項３】
前記ケースに構成された電子機器は、少なくとも記録媒体の再生装置を含み、
前記再生装置が構成されたケースには、他のケースとの連結部に対応し、前記取付部を車内に取り付けた場合に露出する側面に、記録媒体の挿入口が設けられていることを特徴とする請求項１又は請求項２に記載の車載用電子機器。
【請求項４】
前記取付部は、車内にねじ止め可能に設けられていることを特徴とする請求項１〜３のいずれか１項に記載の車載用電子機器。
【請求項５】
前記取付部は、車内に粘着シートを介して装着可能に設けられていることを特徴とする請求項１〜４のいずれか１項に記載の車載用電子機器。
【発明の詳細な説明】
【０００１】
【発明の属する技術分野】
本発明は、車載用の電子機器に係り、特に、ダッシュボード等の車の内装部材に対する取り付け構造に改良を施した電子機器に関する。
【０００２】
【従来の技術】
近年、デジタル技術、通信技術の進歩に伴い、車載用の電子機器も多種多様なものが開発されている。例えば、旧来からのラジオ受信機やＣＤプレーヤなどの他に、ナビゲーションシステム、テレビ受信機、ＤＶＤプレーヤ、インターネットへの接続や電子メール等ができる通信端末装置等も広く普及している。そして、これらのシステムは、ナビゲーションの映像、テレビジョン放送、ＤＶＤに記録された映像、Ｗｅｂページ等を表示させるために、ＬＣＤ等の表示装置を備えている。さらに、この表示装置は、画面表示されたボタンをユーザが触れることによって、各機器を操作できるタッチパネルとしての機能を有している。
【０００３】
ところで、従来から、上述のような車載用電子機器の取り付けは、一般的には以下のように行なわれていた。すなわち、車のセンターコンソールに形成された取り付け用の開口を介して、電源等の各種の配線作業を済ませた後に、当該開口に対して電子機器の本体を挿入し、専用金具等を用いて内側から取り付ける。そして、電子機器本体の周囲と開口との間に隙間が生じる場合には、化粧板等を嵌め込むことによって見栄えを良くしていた。
【０００４】
【発明が解決しようとする課題】
ところで、上述のような車載用電子機器の取り付け作業は、センターコンソールの開口の内側から行なう必要があるので、非常に手間がかかり、多くの時間を要していた。また、配線作業についても、多数本のリード線を開口を介して接続する必要があり面倒である。そして、取り付け作業と同様に、取り外し作業にも手間がかかるため、新規に購入した電子機器を交換する際にも不便である。
【０００５】
さらに、複数の電子機器はそれぞれ独立したケースに構成されている場合が多いので、電子機器ごとに取り付け及び取り外し作業を行なわなければならず、多数の電子機器を装備したり交換したりする際には、非常に長時間の作業が必要となっていた。
【０００６】
本発明は、以上のような従来技術の問題点を解決するために提案されたものであり、その目的は、車内への取り付け及び取り外しが容易で、作業の手間や時間を大幅に節約することができる車載用電子機器を提供することにある。
【０００７】
【課題を解決するための手段】
上記の目的を達成するため、請求項１記載の発明である車載用電子機器は、複数のケースが角度変更可能に連結され、車内に対する取付部を備え、少なくとも１つのケースに、電子機器が構成され、前記取付部は、複数連結されたケースのうちの両端のケースに設けられ、前記取付部が設けられたケースは、それぞれ車のダッシュボードの上部及び下部に対して取付可能に構成されていることを特徴とする。
以上のような請求項１記載の発明では、電子機器を構成するケースを含む複数のケースの角度を、車内の取付対象となる部材における表面形状に合わせ、取付部を用いて取り付けることができるので、車内の開口に挿入して取り付け作業を行なう場合に比べて手間がかからない。
【０００８】
また、ケースの角度を調整することによって種々の大きさのダッシュボードに取り付けることができるので、センターコンソールの開口の大小に左右されることがなく、車種を問わずに電子機器を装備できる。
【０００９】
請求項２記載の発明は、請求項１記載の車載用電子機器において、前記ケースに構成された電子機器は、受信機、表示装置及び操作装置の少なくとも一つを含んでいることを特徴とする。
以上のような請求項２記載の発明では、取付部を用いて車内への取り付けを行なうだけで、多種多様な電子機器を装備することができる。
【００１０】
請求項３記載の発明は、請求項１又は請求項２に記載の車載用電子機器において、前記ケースに構成された電子機器は、少なくとも記録媒体の再生装置を含み、前記再生装置が構成されたケースには、他のケースとの連結部に対応し、前記取付部を車内に取り付けた場合に露出する側面に、記録媒体の挿入口が設けられていることを特徴とする。
以上のような請求項３記載の発明では、車内への取り付けのためにケースの角度を変えた場合に露出する側面に、記録媒体の挿入口を設けることによって、薄型のケースであっても、再生装置に必要な奥行きを確保できる。
【００１１】
請求項４記載の発明は、請求項１〜３のいずれか１項に記載の車載用電子機器において、前記取付部は、車内にねじ止め可能に設けられていることを特徴とする。
以上のような請求項４記載の発明では、ねじで締結することによって車内への取り付けを行なうので、取り付け作業が容易となるとともに、確実で安定した固定が可能となる。
【００１２】
請求項５記載の発明は、請求項１〜４のいずれか１項に記載の車載用電子機器において、前記取付部は、車内に粘着シートを介して装着可能に設けられていることを特徴とする。
以上のような請求項５記載の発明では、粘着シートによって車内への取り付けを行なうので、車内に特別な加工を施す必要がなく、取り付け作業や取り外し作業をより一層簡単に行なうことができる。
【００１３】
【発明の実施の形態】
次に、本発明の実施の形態について図１〜５を参照して具体的に説明する。
〔１．実施の形態の構成〕
本実施の形態は、図１に示すように、３つの薄型の直方体形状のケース１〜３を、縦に連結することによって構成されている。そして、上端のケース１には、取付板４が連結されている。各ケース１〜３及び取付板４の間は、図２に示すように、円柱形状の突起５と溝６とを組み合わせたジョイント部Ｊによって、回動自在に構成されている。
【００１４】
各ケース１〜３には、それぞれ電子機器が構成されている。その内部構成や配置は自由であるが、例えば、上部及び中央のケース１，２には、ラジオ受信機、テレビ受信機、ナビゲーション装置及びアンプなどを内蔵し、下部のケース３には、ＣＤプレーヤ、ＤＶＤプレーヤ若しくはＭＤプレーヤの機構部などを内蔵することが考えられる。図１の例では、下部のケース３がＣＤ及びＤＶＤ兼用のプレーヤとなっている。このケース３には、図３に示すように、ケース２に対して回動させた場合に手前側へ露出する側面に、ＣＤ及びＤＶＤの挿入口３ａが形成されている。
【００１５】
また、上部のケース１の前面には、表示器７が設けられている。この表示器７は、ナビゲーション、ＤＶＤ、テレビジョン放送など各種の映像を表示するものであり、例えば、ＬＣＤ等を用いることができる。そして、表示器７は、画面に表示された地図上の任意の地点、ボタンなどの項目を、直接指で触るだけで選択操作できるタッチパネルとしての機能も有している。また、中央のケース２の前面には、操作装置８が構成されている。この操作装置８は、ケース１〜３及び車内の他所に配設された電子機器を操作することができるように、複数のボタンスイッチを備えている。さらに、下部のケース３の下端近傍には、車内への取り付け用の突起である接合部３ｂが設けられている。
【００１６】
また、取付板４は、ケース１〜３よりも幅が広く、その両端近傍にそれぞれスピーカ９が配設されている。そして、取付板４における２つのスピーカ９の間には、アンテナ１０が配設されている。さらに、取付板４の背面には、車内への取り付け用の突起である接合部４ａが設けられている（図５参照）。以上のような取付板４及びケース１〜３に構成された各種電子機器は、相互に電気的な接続がなされている。例えば、取付板４及びケース１〜３の間の接続には、フレキシブル配線板等を用いることができる。さらに、電源の接続はダッシュボード内部において行なってもよいが、電源コードの端部に備えたプラグを、シガーライター用のソケットに差し込むことによって行なってもよい。
【００１７】
なお、車内のダッシュボード１１には、取付板４に設けられた接合部４ａ、ケース３に設けられた接合部３ｂが挿入される穴１１ａ，１１ｂが形成されている。さらに、図示はしないが、取付板４とダッシュボード１１の上面、ケース３とダッシュボード１１の下部には、それぞれ互いにねじにより締結固定ができるように、ねじ穴が形成されている。
【００１８】
〔２．実施の形態の作用〕
以上のような構成を有する本実施の形態は、ダッシュボード１１に対して、以下のように取り付けられる。すなわち、図４及び図５に示すように、ダッシュボード１１の上部における穴１１ａに対して、取付板４の接合部４ａを挿入し、図示しないねじ穴にねじをねじ込むことによって締結固定する。そして、ケース１及びケース２をダッシュボード１１の前面に沿う角度として、ケース３をダッシュボード１１の下部に折り込む。さらに、ダッシュボード１１の下部における穴１１ｂに対して、ケース３の接合部３ｂを挿入し、図示しないねじ穴にねじをねじ込むことによって締結固定する。このように取り付けられた車載用電子機器は、その表示器７及び操作装置８が、車内のユーザから見て操作可能な位置となる。また、ＣＤ及びＤＶＤ等の記録媒体（図４におけるＭで示す）の挿入口３ａもユーザ側に向かう。
【００１９】
〔３．実施の形態の効果〕
以上のような本実施の形態によれば、電子機器が構成されたケース１〜３の角度を、ダッシュボード１１の表面形状に合わせ、両端をねじ止めするだけで取り付け作業が済む。このため、センターコンソールの開口に挿入して取り付け作業を行なう場合に比べて、作業が非常に簡単であり、短時間で行なうことができる。
【００２０】
また、ケース１〜３の角度を調整することによって、種々の大きさのダッシュボード１１に取り付けることができるので、車種を問わずに電子機器を装備できる。さらに、複数の電子機器を一回の取付作業で設置できるので、電子機器ごとに取付作業を行なう場合に比べて、大幅な作業の容易化及び作業時間の短縮化を実現できる。
【００２１】
また、配線作業については、ケース１〜３及び取付板４に構成された電子機器は、取付前に互いに電気的な接続がなされており、ユーザは電源の配線を行なうだけで済むので手間がかからない。特に、上述のようにシガーライター電源から電源を採るようにすれば、接続作業は非常に簡単となる。さらに、取り外し作業にも手間がかからないため、新規に購入した電子機器と交換する際にも便利である。
【００２２】
〔４．他の実施の形態〕
本発明は、上記のような実施の形態に限定されるものではなく、各部材の大きさ、形状、数、材質等は適宜変更可能である。例えば、表示器、操作装置のボタン、スピーカ、アンテナ等の数や形状は、上記の図面で例示したものには限定されない。また、ケースの連結数や形状、電子機器の数についても、自由に増減変更可能である。全てのケースの形状を統一させる必要もない。
【００２３】
ケースの連結部の構造についても、ケースを回動可能に連結できるものであれば、上記の実施の形態で例示したものには限定されない。例えば、ケースの連結部を着脱自在に構成することによって、ユーザが所望の電子機器を組み合わせて構成できるようにしてもよい。また、ユーザの操作圧力が加わっても容易に変位しないように、連結部にすべり止め用の材質を使用して、所望の角度で保持されるようにすることもできる。また、連結部を、フレキシブルな樹脂等でケースと一体に形成してもよい。
【００２４】
ダッシュボードとの接合構造については、突起と穴との組み合わせには限定されない。穴に係合する爪や互いに係合する爪によって形成することも可能である。ダッシュボードに対する固定方法も、ねじ止めには限定されず、粘着シートや面ファスナーを用いることによって、取り付けや取り外しをより一層容易としてもよい。接合部を省略して、ねじ止めや粘着シート等による固定方法のみによって設置することも可能である。
【００２５】
また、各ケースや取付板に構成する電子機器は、上述のものには限定されない。例えば、インターネット接続機能を持った情報端末を内蔵することも可能である。複数の異なる機器の機能を一つのコンピュータによって実現するシステムであってもよい。また、内蔵アンテナを介して、料金の収受処理を行なうＥＴＣ車載機を構成することも可能である。また、ケース外の車載用電子機器に接続することによって、当該電子機器を操作装置やタッチパネルにおいて操作できる構成とすることも可能である。操作装置やタッチパネルによる操作対象も、座席、ミラー、ウィンドウ、設置カメラ、サンルーフ等の機構部とすることもできる。
【００２６】
また、表示器は、ＬＣＤには限定されず、ＯＥＬ（Ｏｒｇａｎｉｃ  Ｅｌｅｃｔｒｏｌｕｍｉｎｅｓｃｅｎｃｅ）やその他のエレクトロルミネッセントディスプレイ、プラズマディスプレイ、ＣＲＴ、ＬＥＤアレイ等、どのようなものであってもよい。また、再生装置は上述のＣＤプレーヤやＤＶＤプレーヤには限定されず、記録装置としての機能を有するものも含めて、周知の若しくはこれから実用化される種々のものを適用可能である。さらに、本発明は、車内における取付位置を、ダッシュボードに限定するものではない。
【００２７】
【発明の効果】
以上説明したように、本発明によれば、車内への取り付け及び取り外しが容易で、作業の手間や時間を大幅に節約可能な車載用電子機器を提供することができる。
【図面の簡単な説明】
【図１】本発明の車載用電子機器の実施の形態を示す斜視図である。
【図２】図１の実施の形態のジョイント部を示す正面図である。
【図３】図１の実施の形態の挿入口を示す正面図である。
【図４】図１の実施の形態におけるダッシュボードへの取付例を示す斜視図である。
【図５】図４の断面図である。
【符号の説明】
１〜３…ケース
３ｂ…接合部
３ａ…挿入口
４…取付板
４ａ…接合部
５…突起
６…溝
７…表示器
８…操作装置
９…スピーカ
１０…アンテナ
１１…ダッシュボード
１１ａ，１１ｂ…穴
【図１】
0004679747.tif 000002
【図２】
0004679747.tif 000003
【図３】
0004679747.tif 000004
【図４】
0004679747.tif 000005
【図５】
0004679747.tif 000006